【手続補正書】
【提出日】平成27年1月7日(2015.1.7)
【手続補正１】
【補正対象書類名】特許請求の範囲
【補正対象項目名】全文
【補正方法】変更
【補正の内容】
【特許請求の範囲】
【請求項１】
ビデオシーケンスを復号するために情報処理システムによって実行される方法であって、前記方法が、
前記ビデオシーケンスのピクチャ内の予測ユニットを識別することであって、前記予測ユニットが前記ピクチャ内の近隣予測ユニットに接し、前記近隣予測ユニットが少なくとも第３の近隣予測ユニットによって互いに分離される第１及び第２の近隣予測ユニットを含み、前記予測ユニットのためのマッチが第１の参照ピクチャ内に位置する、前記識別することと、
動きベクトルプレディクタ（ＭＶＰ）候補を識別するために前記近隣予測ユニットのサブセットを走査することであって、前記サブセットが、少なくとも前記第１及び第２の近隣予測ユニットを含み、少なくとも前記第３の近隣予測ユニットを含まない、前記走査することと、
差を復号することと、
前記予測ユニットの動きベクトルを計算することであって、前記計算することが、前記差を前記ＭＶＰ候補の動きベクトルに加算することを含む、前記計算することと、
を含み、
前記走査することが、利用可能なときに第１のタイプのＭＶＰ候補を識別することであって、前記第１のタイプのＭＶＰ候補のためのマッチが前記第１の参照ピクチャ内に位置する、前記第１のタイプのＭＶＰ候補を識別することと、前記第１のタイプのＭＶＰ候補が利用可能でないことに応答して第２のタイプのＭＶＰ候補を識別することであって、前記第２のタイプのＭＶＰ候補のためのマッチが第２の参照ピクチャ内に位置する、前記第２のタイプのＭＶＰ候補を識別することとを含む、方法。
【請求項２】
請求項１に記載の方法であって、
インデックスを復号することと、
少なくとも１つの他のＭＶＰ候補が利用可能であるか否かに応答して前記ＭＶＰ候補が前記インデックスによって識別されるか否かを判定することと、
を更に含む、方法。
【請求項３】
請求項２に記載の方法であって、
前記計算することが、前記ＭＶＰ候補が前記インデックスによって識別されることに応答して前記予測ユニットの前記動きベクトルを計算することを含む、方法。
【請求項４】
請求項２に記載の方法であって、
前記近隣予測ユニットが第４及び第５の近隣予測ユニットを含み、
前記方法が、前記他のＭＶＰ候補を識別するために前記第４及び第５の近隣予測ユニットを走査することを更に含む、方法。
【請求項５】
請求項４に記載の方法であって、
前記予測ユニットの第１のサイドが前記第１、第２及び第３の近隣予測ユニットに接し、前記予測ユニットの第２のサイドが前記第４及び第５の近隣予測ユニットに接する、方法。
【請求項６】
請求項５に記載の方法であって、
前記第４の近隣予測ユニットが前記第５の近隣予測ユニットに隣接し、前記予測ユニットが少なくとも第１、第２及び第３のコーナーを有し、前記第１のコーナーが前記第１の近隣予測ユニットに接し、前記第２のコーナーが前記第２の近隣予測ユニットに接し、前記第３のコーナーが前記第４及び第５の近隣予測ユニットに接する、方法。
【請求項７】
請求項６に記載の方法であって、
前記近隣予測ユニットが第６の近隣予測ユニットを含み、前記サブセットが前記第６の近隣予測ユニットを含み、前記第１の近隣予測ユニットが前記第６の近隣予測ユニットに接し、前記第１のコーナーが前記第６の近隣予測ユニットに接し、前記第２の近隣予測ユニットが少なくとも前記第３の近隣予測ユニットによって前記第６の近隣予測ユニットから分離される、方法。
【請求項８】
請求項７に記載の方法であって、
前記近隣予測ユニットが第７の近隣予測ユニットを含み、前記第２の近隣予測ユニットが少なくとも前記第７の近隣予測ユニットによって前記第５の近隣予測ユニットから分離される、方法。
【請求項９】
ビデオシーケンスを復号するためのシステムであって、前記システムがデコーダを含み、
前記デコーダが、
前記ビデオシーケンスのピクチャ内の予測ユニットを識別することであって、前記予測ユニットが前記ピクチャ内の近隣予測ユニットに接し、前記近隣予測ユニットが少なくとも第３の近隣予測ユニットによって互いに分離される第１及び第２の近隣予測ユニットを含み、前記予測ユニットのためのマッチが第１の参照ピクチャ内に位置する、前記識別することと、
動きベクトルプレディクタ（ＭＶＰ）候補を識別するために前記近隣予測ユニットのサブセットを走査することであって、前記サブセットが、少なくとも前記第１及び第２の近隣予測ユニットを含み、少なくとも前記第３の近隣予測ユニットを含まない、前記走査することと、
差を復号することと、
前記予測ユニットの動きベクトルを計算することであって、前記計算することが前記差を前記ＭＶＰ候補の動きベクトルに加算することを含む、前記計算することと、
のためのものであり、
前記走査することが、利用可能なときに第１のタイプのＭＶＰ候補を識別することであって、前記第１のタイプのＭＶＰ候補のためのマッチが前記第１の参照ピクチャ内に位置する、前記第１のタイプのＭＶＰ候補を識別することと、前記第１のタイプのＭＶＰ候補が利用可能でないことに応答して第２のタイプのＭＶＰ候補を識別することであって、前記第２のタイプのＭＶＰ候補のためのマッチが第２の参照ピクチャ内に位置する、前記第２のタイプのＭＶＰ候補を識別することとを含む、システム。
【請求項１０】
請求項９に記載のシステムであって、
前記デコーダが、インデックスを復号することと、少なくとも１つの他のＭＶＰ候補が利用可能であるか否かに応答して前記ＭＶＰ候補が前記インデックスによって識別されるか否かを判定することと、のためのものである、システム。
【請求項１１】
請求項１０に記載のシステムであって、
前記デコーダが、前記ＭＶＰ候補が前記インデックスによって識別されることに応答して前記予測ユニットの前記動きベクトルを計算するためのものである、システム。
【請求項１２】
請求項１０に記載のシステムであって、
前記近隣予測ユニットが第４及び第５の近隣予測ユニットを含み、
前記デコーダが、前記他のＭＶＰ候補を識別するために前記第４及び第５の近隣予測ユニットを走査するためのものである、システム。
【請求項１３】
請求項１２に記載のシステムであって、
前記予測ユニットの第１のサイドが前記第１、第２及び第３の近隣予測ユニットに接し、前記予測ユニットの第２のサイドが前記第４及び第５の近隣予測ユニットに接する、システム。
【請求項１４】
請求項１３に記載のシステムであって、
前記第４の近隣予測ユニットが前記第５の近隣予測ユニットに接し、前記予測ユニットが少なくとも第１、第２及び第３のコーナーを有し、前記第１のコーナーが前記第１の近隣予測ユニットに接し、前記第２のコーナーが前記第２の近隣予測ユニットに接し、前記第３のコーナーが前記第４及び第５の近隣予測ユニットに接する、システム。
【請求項１５】
請求項１４に記載のシステムであって、
前記近隣予測ユニットが第６の近隣予測ユニットを含み、前記サブセットが前記第６の近隣予測ユニットを含み、前記第１の近隣予測ユニットが前記第６の近隣予測ユニットに接し、前記第１のコーナーが前記第６の近隣予測ユニットに接し、前記第２の近隣予測ユニットが少なくとも前記第３の近隣予測ユニットによって前記第６の近隣予測ユニットから分離される、システム。
【請求項１６】
請求項１５に記載のシステムであって、
前記近隣予測ユニットが第７の近隣予測ユニットを含み、前記第２の近隣予測ユニットが少なくとも前記第７の近隣予測ユニットによって前記第５の近隣予測ユニットから分離される、システム。
【請求項１７】
ビデオシーケンスを符号化するために情報処理システムによって実行される方法であって、
前記ビデオシーケンスのピクチャ内で予測ユニットを識別することであって、前記予測ユニットが前記ピクチャ内の近隣予測ユニットに接し、前記近隣予測ユニットが少なくとも第３の近隣予測ユニットによって互いに分離される第１及び第２の近隣予測ユニットを含み、前記予測ユニットのためのマッチが第１の参照ピクチャ内に位置する、前記識別することと、
動きベクトルプレディクタ（ＭＶＰ）候補を識別するために前記近隣予測ユニットのサブセットを走査することであって、前記サブセットが、少なくとも前記第１及び第２の近隣予測ユニットを含み、少なくとも前記第３の近隣予測ユニットを含まない、前記走査することと、
前記ＭＶＰ候補の動きベクトルと前記予測ユニットの動きベクトルとの間の差を計算することと、
前記差と前記ＭＶＰ候補を識別するためのインデックスを符号化することと、
を含み、
前記走査することが、利用可能なときに第１のタイプのＭＶＰ候補を識別することであって、前記第１のタイプのＭＶＰ候補のためのマッチが前記第１の参照ピクチャ内に位置する、前記第１のタイプのＭＶＰ候補を識別することと、前記第１のタイプのＭＶＰ候補が利用可能でないことに応答して第２のタイプのＭＶＰ候補を識別することであって、前記第２のタイプのＭＶＰ候補のためのマッチが第２の参照ピクチャ内に位置する、前記第２のタイプのＭＶＰ候補を識別することとを含む、方法。
【請求項１８】
ビデオシーケンスを符号化するためのシステムであって、前記システムがエンコーダを含み、
前記エンコーダが、
前記ビデオシーケンスのピクチャ内で予測ユニットを識別することであって、前記予測ユニットが前記ピクチャ内の近隣予測ユニットに接し、前記近隣予測ユニットが少なくとも第３の近隣予測ユニットによって互いに分離される第１及び第２の近隣予測ユニットを含み、前記予測ユニットのためのマッチが第１の参照ピクチャ内に位置する、前記識別することと、
動きベクトルプレディクタ（ＭＶＰ）候補を識別するために前記近隣予測ユニットのサブセットを走査することであって、前記サブセットが、少なくとも前記第１及び第２の近隣予測ユニットを含み、少なくとも前記第３の近隣予測ユニットを含まない、前記走査することと、
前記ＭＶＰ候補の動きベクトルと前記予測ユニットの動きベクトルとの間の差を計算することと、
前記差と前記ＭＶＰ候補を識別するためのインデックスを符号化することと、
のためのものであり、
前記走査することが、利用可能なときに第１のタイプのＭＶＰ候補を識別することであって、前記第１のタイプのＭＶＰ候補のためのマッチが前記第１の参照ピクチャ内に位置する、前記第１のタイプのＭＶＰ候補を識別することと、前記第１のタイプのＭＶＰ候補が利用可能でないことに応答して第２のタイプのＭＶＰ候補を識別することであって、前記第２のタイプのＭＶＰ候補のためのマッチが第２の参照ピクチャ内に位置する、前記第２のタイプのＭＶＰ候補を識別することとを含む、システム。
【請求項１９】
ビデオシーケンスを符号化するためのコンピュータプログラム製品であって、前記コンピュータプログラム製品が、
有形のコンピュータ可読記憶媒体と、
前記有形のコンピュータ可読記憶媒体に記憶されたコンピュータ可読プログラムであって、前記ビデオシーケンスを符号化するための動作を前記情報処理システムに実行させるために情報処理システムによって処理可能である、前記コンピュータ可読プログラムと、
を含み、
前記動作が、
前記ビデオシーケンスのピクチャ内の予測ユニットを識別することであって、前記予測ユニットが前記ピクチャ内の近隣予測ユニットに接し、前記近隣予測ユニットが少なくとも第３の近隣予測ユニットによって互いに分離される第１及び第２の近隣予測ユニットを含み、前記予測ユニットのためのマッチが第１の参照ピクチャ内に位置する、前記識別することと、
動きベクトルプレディクタ（ＭＶＰ）候補を識別するために前記近隣予測ユニットのサブセットを走査することであって、前記サブセットが、少なくとも前記第１及び第２の近隣予測ユニットを含み、少なくとも前記第３の近隣予測ユニットを含まない、前記走査することと、
前記ＭＶＰ候補の動きベクトルと前記予測ユニットの動きベクトルとの間の差を計算することと、
前記差と前記ＭＶＰ候補を識別するためのインデックスを符号化することと、
を含み、
前記走査することが、利用可能なときに第１のタイプのＭＶＰ候補を識別することであって、前記第１のタイプのＭＶＰ候補のためのマッチが前記第１の参照ピクチャ内に位置する、前記第１のタイプのＭＶＰ候補を識別することと、前記第１のタイプのＭＶＰ候補が利用可能でないことに応答して第２のタイプのＭＶＰ候補を識別することであって、前記第２のタイプのＭＶＰ候補のためのマッチが第２の参照ピクチャ内に位置する、前記第２のタイプのＭＶＰ候補を識別することとを含む、製品。
【請求項２０】
ビデオシーケンスを復号するためのコンピュータプログラム製品であって、前記コンピュータプログラム製品が、
有形のコンピュータ可読記憶媒体と、
前記有形のコンピュータ可読記憶媒体に記憶されたコンピュータ可読プログラムと、
を含み、
前記コンピュータ可読プログラムが、前記ビデオシーケンスを復号するための動作を前記情報処理システムに実行させるために情報処理システムによって処理可能であり、
前記動作が、
ビデオシーケンスのピクチャ内の予測ユニットを識別することであって、前記予測ユニットが前記ピクチャ内の近隣予測ユニットに接し、前記近隣予測ユニットが少なくとも第３の近隣予測ユニットによって互いに分離される第１及び第２の近隣予測ユニットを含み、前記予測ユニットのためのマッチが第１の参照ピクチャ内に位置する、前記識別することと、
動きベクトルプレディクタ（ＭＶＰ）候補を識別するために前記近隣予測ユニットのサブセットを走査することであって、前記サブセットが、少なくとも前記第１及び第２の近隣予測ユニットを含み、少なくとも前記第３の近隣予測ユニットを含まない、前記走査することと、
差を復号することと、
前記予測ユニットの動きベクトルを計算することであって、前記計算することが前記差を前記ＭＶＰ候補の動きベクトルに加算することを含む、前記計算することと、
を含み、
前記走査することが、利用可能なときに第１のタイプのＭＶＰ候補を識別することであって、前記第１のタイプのＭＶＰ候補のためのマッチが前記第１の参照ピクチャ内に位置する、前記第１のタイプのＭＶＰ候補を識別することと、前記第１のタイプのＭＶＰ候補が利用可能でないことに応答して第２のタイプのＭＶＰ候補を識別することであって、前記第２のタイプのＭＶＰ候補のためのマッチが第２の参照ピクチャ内に位置する、前記第２のタイプのＭＶＰ候補を識別することとを含む、製品。